(57)【要約】【課題】やすり材の外周面だけでなくやすり材の端面や隣接するやすり材の間に形成した環状Ｖ溝も利用して爪に対して種々の異なる処理ができ、爪の寸法、形状、部位や磨き段階に応じたきめの細かい爪磨きができ、やすり材を交換する面倒な作業も不要にする。【解決手段】モータ１４によって回転駆動されるやすり材を有する電動式爪磨き器において、モータ１４および電池１２を収容する略筒状の握り部１０と、この握り部１０の一端の中心から握り部１０の長手方向に突出する回転軸２０と、この回転軸２０に軸方向に互いに密着して固定されたやすり目の粗さが異なる一定径の３つのやすり材２６と、隣接するやすり材の密着部外周に形成され異なる粗さのやすり目が表れた環状のＶ溝２６と、先端側のやすり材の先端面から突出する円錐形の爪キワ仕上げ用やすり材２８と、を備える。【選択図】図２
2008245711.tif 000002
【特許請求の範囲】
【請求項１】
モータによって回転駆動されるやすり材を有する電動式爪磨き器において、
モータおよび電池を収容する略筒状の握り部と、
この握り部の一端の中心から握り部の長手方向に突出する回転軸と、
この回転軸に軸方向に互いに密着して固定されたやすり目の粗さが異なる一定径の３つのやすり材と、
隣接するやすり材の密着部外周に形成され異なる粗さのやすり目が表れた環状のＶ溝と、
先端側のやすり材の先端面から突出する円錐形の爪キワ仕上げ用やすり材と、
を備えることを特徴とする電動式爪磨き器。
【請求項２】
３つのやすり材は、回転軸の根元側から先端側に向かって順にやすり目が細かくなっている請求項１の電動式爪磨き器。
【請求項３】
先端側のやすり材の先端面を円錐形に形成して円錐形の爪キワ仕上げ用やすり材とした請求項２の電動式爪磨き器。
【請求項４】
握り部と略同径の外径を持ちやすり材に被されて握り部に着脱可能に保持されるカバーを持つ請求項１〜３のいずれかの電動式爪磨き器。
【発明の詳細な説明】
【技術分野】
【０００１】
この発明は、モータによって回転するやすり材を有する電動式の爪磨き器に関するものである。
【背景技術】
【０００２】
やすり目の粗さが異なる複数のやすり材をモータで回転させ、やすり材を手や足の爪に当てて爪を整形したり、磨くようにした電動式の爪磨き器が公知である。
【０００３】
【特許文献１】特公昭５６−３９４４２
【特許文献２】実公昭４５−２８３３０
【特許文献３】実開昭６３−１６０７０７
【特許文献４】実開昭５４−５８４８２
【０００４】
特許文献１には、２つの同一径のやすり（２、３）を溝（４）を挟んで軸方向に並べて回転軸に固定したものが示されている。特許文献２、３には、径が変化する複数のやすりを軸方向に並べて回転軸に交換可能に固定したものが示されている。特許文献４には、円柱状のやすり（砥石）に環状の凹溝（６）を設け、砥石と爪の接触角度をいろいろ変えることなしに、爪の先端を凹溝の断面形状に沿った滑らかな丸味を持つ断面に研磨できるようにしたものが示されている。
【発明の開示】
【発明が解決しようとする課題】
【０００５】
特許文献１のものは、やすり材の外周面にやすり目が形成されているものであり、やすり材の端面や溝をやすりとして利用するものではないため、爪の寸法、形状、部位や磨き段階に応じたきめの細かい爪磨きができないという問題がある。
【０００６】
特許文献２、３、４は爪の寸法、形状、部位や磨き段階によりやすり目の粗さが異なるやすり材を交換する必要があるため、やすり材を複数用意しておく必要があるばかりでなく、交換作業が面倒でもあった。
【０００７】
この発明はこのような事情に鑑みなされたものであり、やすり材の外周面だけでなくやすり材の端面や隣接するやすり材の間に形成した環状Ｖ溝も利用して爪に対して種々の異なる処理ができるようにし、爪の寸法、形状、部位や磨き段階に応じたきめの細かい爪磨きができると共に、やすり材を交換するというような面倒な作業も不要になる電動式爪磨き器を提供することを目的とする。
【課題を解決するための手段】
【０００８】
この発明によればこの目的は、モータによって回転駆動されるやすり材を有する電動式爪磨き器において、モータおよび電池を収容する略筒状の握り部と、この握り部の一端の中心から握り部の長手方向に突出する回転軸と、この回転軸に軸方向に互いに密着して固定されたやすり目の粗さが異なる一定径の３つのやすり材と、隣接するやすり材の密着部外周に形成され異なる粗さのやすり目が表れた環状のＶ溝と、先端側のやすり材の先端面から突出する円錐形の爪キワ仕上げ用やすり材と、を備えることを特徴とする電動式爪磨き器、により達成される。
【発明の効果】
【０００９】
回転軸に同一径かつやすり目の粗さが異なる３つのやすり材を軸方向に密着させて固定し、隣接するやすり材の間に外周に向かって開く環状のＶ溝を形成し、このＶ溝に異なる粗さのやすり目が現れるようにすると共に、先端面に円錐形の爪キワ仕上げ用やすり材を設けたものであるから、３種類のやすり材の外周面だけでなく、Ｖ溝や円錐形の爪キワ仕上げ用やすり材を組み合わせて使用することにより、爪の寸法、形状、部位や磨き段階に応じたきめの細かい爪磨きが行える。
【００１０】
また一定径の３種類の粗さが異なるやすり材と円錐形の爪キワ仕上げ用やすり材とで、合計４種類のやすり材があるが、使い方は４種に限られず通常の使用には十分な種類の使い方が選択できるので、やすり材を着脱交換する必要がない。なおＶ溝があるため、隣り合うやすり材の周面が離れることになり、１つのやすり材を使用している時に隣りのやすり材が障害になったり爪に接触するおそれがない。
【発明を実施するための最良の形態】
【００１１】
やすり材は回転軸の根元側から先端側に向かって順にやすり目が細かいものとするのがよい（請求項２）。最も粗いやすり目のやすり材が握り部に近いので、粗いやすり材に力を加え易い一方、目の細かいやすり材は加える力が弱くてよいので先端側であっても不都合がなく細かく繊細な手入れができるからである。またＶ溝を使用する時には爪の先端縁の上面を細かいやすり目で磨くことになるから、爪の上面がきれいに仕上がる一方、爪先端の下面が粗いやすり目で削られても目で確認し難いので不都合はない。
【００１２】
先端面に設ける円錐形の爪キワ仕上げ用やすり材は、先端の細かいやすり材で形成するのがよい（請求項３）。この場合は円錐形の爪キワ仕上げ用やすり材は細かい目のやすりとなるから、先端と円錐面を使ってきめ細かい爪磨きが可能になる。
【００１３】
やすり材に先端側から被せるカバーを設けることもできる。このカバーは握り部と略同径の外径を持ち、やすり材に被せて握り部に着脱可能とすれば、カバー取付け時にはカバーと握り部とが連続して一体化し、全体が１本の略棒状になるから収納や持ち運びに便利である（請求項４）。
【００１４】
握り部は指でペンを保持するように握り易い太さと形状とするのがよく、断面を円形、四角形、六角形などとした筒状とするのがよい。
【実施例１】
【００１５】
図１は本発明の一実施例の正面図、図２は内部構造を示す正面図、図３は整形（形づくり）の使い方を示す図、図４は爪の表面を磨く使い方を示す図である。
【００１６】
図１、２において、符号１０は略円筒状の握り部であり、その内部の下部には電池（単４型）１２が、その上方にモータ１４がそれぞれ収容されている。１６はモータ１４をオン・オフ制御するスイッチである。握り部１０はペンを手の指で保持するのに適する外径（約１．５ｃｍ）に作られている。
【００１７】
この握り部１０の上端すなわちモータ１４側の端面には、軸受部材１８が嵌合され、この軸受部材１８の中心に回転軸２０が軸支されている。この回転軸２０の上端は握り部１０の長手方向に突出している。この回転軸１８の下端はモータ１４の回転軸に連結され、モータ１４によって回転駆動される。
【００１８】
回転軸２０には軸方向に密着して３つの円筒形のやすり材２２（２２Ａ、２２Ｂ、２２Ｃ）が固定されている。これらのやすり材２２は同一外径であり、それぞれの円筒面からなるやすり面２４（２４Ａ、２４Ｂ、２４Ｃ）は、やすり目の粗さ（荒さ）が異なる。すなわち下部（握り部１０側）のやすり材２２Ａは目が粗く粗仕上げ用である。中部のやすり材２２Ｂは中間の粗さのものであり、中仕上げ用である。上部（先端側）のやすり材２２Ｃは細かい目のものであり、光沢仕上げ用である。
【００１９】
隣接するやすり材２２Ａ、２２Ｂの密着部外周と、やすり材２２Ｂ、２２Ｃの密着部外周には、それぞれ環状のＶ溝２６（２６Ａ、２６Ｂ）が形成されている。Ｖ溝２６Ａを形成する２つの斜面には、やすり材２２Ａと２２Ｂのやすり目が現れている。Ｖ溝２６Ｂを形成する２つの斜面には、やすり材２２Ｂと２２Ｃのやすり目が現れている。
【００２０】
回転軸２０の先端側のやすり材２２Ｃの先端面には、円錐形の爪キワ仕上げ用やすり材２８が一体に形成されている。このやすり材２８の底面はやすり材２２Ａの外径と同径である。すなわちやすり材２２Ｃの先端面を円錐形としてこれを円錐形のやすり材２８としたものである。
【００２１】
この結果、円筒形のやすり目の粗さが異なる３つのやすり材２２Ａ、２２Ｂ、２２Ｃと、Ｖ溝２６Ａ、２６Ｂと、円錐形のやすり材２８とを組み合わせて多様でバラエティーに富む爪磨きを行うことが可能になる。なお図１、２において３２は円筒形のカバー（キャップ）である。このカバー３２は握り部１０と同じ外径であり、回転軸２２の先端側から装着され、図１に仮想線で示すように、軸受部材１８に嵌合されて固定される。この状態では握り部１０とカバー３２は一体化して棒状となり、収納、持ち運びに便利である。
【００２２】
次にこの爪磨き器の使い方を説明する。まず爪の形を整える（整形）ための使い方を、図３を用いて説明する。図３（Ａ）は、粗いやすり目のやすり材２２Ａのやすり面２４Ａに爪３４の先端を軽く当てて整形する様子を示す。この時指先を滑らかに円弧を描くように移動させる。図３（Ｂ）は、Ｖ溝２６Ａに爪３４の先端を当てて整形する使い方を示している。なお適宜目の粗さが異なる他のやすり材２２Ｂ、２２ＣやＶ溝２６Ｂを用いることができるのは勿論である。
【００２３】
ここにＶ溝２６Ａ、２６Ｂは、上の斜面が下の斜面より目が細かくなっている。このため図３（Ｂ）のようにＶ溝２６に爪先を入れた時には爪３４の先端下面が上面より粗い目で削られることになるが、目につき易い上面がきれいに仕上がるので不都合はない。
【００２４】
次に爪の表面を磨く使い方を図４を用いて説明する。同図（Ａ）は表面の粗仕上げを示す。すなわち回転軸２０を爪３４に対して横向きにし、下部のやすり材２２Ａを使って爪３４の表面の凹凸を整え、縦線を消す。この時目の粗いやすり材２２Ａは握り部１０に近く強い力で爪３４に当てることができるので、能率良く縦線を消すことができる。
【００２５】
図４（Ｂ）は中仕上げを示す。すなわち回転軸２０を爪３４に対して横向きにし、中間のやすり材２２Ｂのやすり面２４Ｂを爪３４に当てる。図４（Ｃ）は光沢仕上げを示し、同様に目が最も細かいやすり材２２Ｃのやすり面２４Ｃを爪３４に当てる。目の細かいやすり材２２Ｃは光沢仕上げ用で強い力で押し当てる必要がない。このため回転軸２０の先端側にあっても不都合がない。このように粗目、中間目、細目の順にやすり材２２Ａ、２２Ｂ、２２Ｃを変えて磨くことにより能率良くきれいに仕上げることができる。
【００２６】
図４（Ｄ）は先端の円錐形のやすり材２８の使い方を示している。すなわちやすり材２８の先端を爪３４のキワ（際）３６に当てることにより、爪キワ３６の薄い皮（甘皮など）を削り取るものである。やすり材２８の先端を爪キワ３６に沿って移動させたり円錐面を当てることにより爪キワ３６をきれいに能率良く処理できる。
【図面の簡単な説明】
【００２７】
【図１】本発明の一実施例を示す正面図
【図２】同じく内部構造を示す正面図
【図３】整形処理の使用例を示す図
【図４】表面を磨く使用例を示す図
【符号の説明】
【００２８】
１０  握り部
１２  電池
１４  モータ
２０  回転軸
２２（２２Ａ、２２Ｂ、２２Ｃ）  やすり材
２４（２４Ａ、２４Ｂ、２４Ｃ）  やすり面
２６（２６Ａ、２６Ｂ）  Ｖ溝
２８  円錐形の爪キワ仕上げ用やすり材
３０  肩
３２  カバー（キャップ）
３４  爪
３６  爪キワ
【図１】
2008245711.tif 000003
【図２】
2008245711.tif 000004
【図３】
2008245711.tif 000005
【図４】
2008245711.tif 000006